(57)【要約】【課題】本発明は、簡単な構成により、薄型化しても所望の配光特性及び十分な中心光量を確保することができるようにした、閃光放電管用リフレクタを提供することを目的とする。【解決手段】細長い閃光放電管１１の長手方向に垂直な断面にて、閃光放電管１１を包囲するように湾曲した断面形状を有していて、内面が反射面として形成されている、閃光放電管用リフレクタ１２であって、上記断面形状が、閃光放電管側から開放端に向かって徐々に凹状に拡大し、途中の変曲点１２ａから前方に向かってラッパ状に拡大して形成されるように、閃光放電管用リフレクタ１０を構成する。【選択図】        図１
2005062284.tif 000002
【特許請求の範囲】
【請求項１】
細長い閃光放電管の長手方向に垂直な断面にて、閃光放電管を包囲するように湾曲した断面形状を有していて、内面が反射面として形成されている、閃光放電管用リフレクタであって、
上記断面形状が、閃光放電管側から開放端に向かって徐々に凹状に拡大し、途中の変曲点から前方に向かってラッパ状に拡大するように形成されていることを特徴とする、閃光放電管用リフレクタ。
【発明の詳細な説明】
【０００１】
【発明の属する技術分野】
本発明は、例えばストロボ発光装置で使用されるＸｅ管等の閃光放電管のためのリフレクタに関するものである。
【０００２】
【従来の技術】
従来、例えば閃光放電管としてＸｅ管を使用したストロボ発光装置は、図１１に示すように構成されている。
図１１において、ストロボ発光装置１は、Ｘｅ管２と、Ｘｅ管を包囲するように配置されたリフレクタ３と、から構成されている。
【０００３】
上記Ｘｅ管２は、細長い管状に構成されており、外部から高電圧が給電されることにより、発光して閃光を出射するようになっている。
上記リフレクタ３は、Ｘｅ管２を包囲するように、断面が、例えばＸｅ管２の発光部を焦点位置とするような放物線形状を有するように形成されている。
【０００４】
このような構成のストロボ発光装置１によれば、Ｘｅ管２に対して外部から給電されることにより、Ｘｅ管２が発光する。そして、Ｘｅ管２から出射してリフレクタ３により反射された光が、図１１にて矢印Ａで示すように、前方に向かって照射されることにより、所望の光量及び配光特性が得られるようになっている。
【０００５】
ところで、ストロボ発光装置においても、小型化，薄型化の要求が高まってきているが、上述した構成のストロボ発光装置１においては、必要な光量及び配光特性が得られなくなってしまうことから、リフレクタ３の小型化，薄型化には対応することができない。
特に、薄型化に関しては、リフレクタから出射する光を前方に向かって集束させることができないことから、配光特性が上下方向に拡ってしまうことになり、中心光量が低下してしまう。
【０００６】
これに対して、特許文献１から３には、各種ストロボ発光装置またはリフレクタが開示されている。
特許文献１による写真用ストロボ装置においては、曲面反射面から成るリフレクタの開口端からさらに前方に向かって延びる互いに平行な平面から成る両端側壁部を備えている。
この構成によれば、リフレクタの曲面反射面で反射され、前方に向かって進む光が、リフレクタの曲面反射面の開口端からさらに前方に延びる両端側壁部により反射されることによって、前方の中心方向に向かって集束されることになる。
従って、写真用ストロボ装置そしてリフレクタが薄型に構成されても、両端側壁部により集光作用によって、中心光量を確保することができる。
【０００７】
また、特許文献２によるストロボ放電管用リフレクタにおいては、リフレクタが放電管受け部から順次に円弧状，楕円弧状そして直線状の断面を備えるように構成されている。
この構成によれば、ストロボ放電管から出射した光は、リフレクタにより反射されることにより、前方に向かって集束して照射されると共に、特にリフレクタの直線状の断面部分により反射される光が、光軸方向に沿って有効に照射されることになるので、中心光量を確保することができる。
【０００８】
さらに、特許文献３によるフラッシュ発光装置においては、リフレクタが、リフレクタの反射面で反射された光を光軸方向に沿って所定の範囲内に集光させるように構成された断面が直線状の配光制御用反射面を含んでいる。  この構成によれば、リフレクタの反射面で反射された光が、配光制御用反射面で反射されることにより、光軸方向の所定の範囲内に集光されることによって、中心光量を確保することができる。
【０００９】
このようにして、上記特許文献１から３の何れにおいても、リフレクタの前端側に、断面が直線状の反射面を備えることによって、閃光放電管またはリフレクタの反射面からの光を、この反射面により反射させることにより、光軸方向に沿って集光するので、中心光量を確保することができる。従って、小型化，薄型化に対応することができる。
【００１０】
【特許文献１】
特許第３１３５１６４号公報
【特許文献２】
特開平１１−１７４５３６号公報
【特許文献３】
特開２０００−２２７６２５号公報
【００１１】
【発明が解決しようとする課題】
しかしながら、これらの特許文献１から３によるストロボ発光装置（またはリフレクタ）においては、リフレクタの前端に備えられる延長部が、断面直線状に形成されており、光の照射方向に対する角度が小さくなることから、リフレクタの延長部による反射光が光の照射方向から大きくそれることになってしまう。このため、リフレクタによる反射特性即ち配光特性が限定されることになり、特に薄型化の場合に、前方の中心光量を十分に確保することが困難である。
【００１２】
本発明は、以上の点から、簡単な構成により、薄型化しても所望の配光特性及び十分な中心光量を確保することができるようにした、閃光放電管用リフレクタを提供することを目的としている。
【００１３】
【課題を解決するための手段】
上記目的は、本発明の構成によれば、細長い閃光放電管の長手方向に垂直な断面にて、閃光放電管を包囲するように湾曲した断面形状を有していて、内面が反射面として形成されている、閃光放電管用リフレクタであって、上記断面形状が、閃光放電管側から開放端に向かって徐々に凹状に拡大し、途中の変曲点から前方に向かってラッパ状に拡大するように形成されていることを特徴とする、閃光放電管用リフレクタにより、達成される。
【００１４】
上記構成によれば、閃光放電管と組み合わせられて、ストロボ発光装置が構成されたとき、閃光放電管から出射した光は、リフレクタの内面により反射されて、全体がほぼ前方に向かって照射されることになる。
【００１５】
その際、リフレクタの前端付近がラッパ状に拡大していることから、リフレクタの前端付近が光照射方向に対して小さな角度で、特に光照射方向とほぼ平行に延びるようなことがない。これによって、リフレクタの前端付近による反射光が照射方向から大きく外れて反射されるようなことがない。
【００１６】
従って、リフレクタの断面形状の曲率を途中の変曲点にて正から負に切換えて、凹状から凸状にすることにより、リフレクタによる反射光の配光特性そして中心光量を容易に制御することができるので、リフレクタ全体が薄型に構成されていても、所望の配光特性が容易に得られることになる。
【００１７】
【発明の実施の形態】
以下、この発明の好適な実施形態を図１乃至図１０を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明による閃光放電管用リフレクタの一実施形態を組み込んだストロボ発光装置の構成を示している。
図１において、ストロボ発光装置１０は、閃光放電管としてのＸｅ管１１と、Ｘｅ管１１を包囲するように配置されたリフレクタ１２と、から構成されている。
【００１９】
上記Ｘｅ管１１は、細長い管状に構成されており、外部から高電圧が給電されることにより、発光して閃光を出射するようになっている。
上記リフレクタ１２は、例えば光輝アルミ等から構成されており、Ｘｅ管１１を包囲するように湾曲した断面形状を有していて、内面が反射面として形成されている。
【００２０】
ここで、上記リフレクタ１２は、その断面形状が、図１に詳細に示すように、Ｘｅ管１１側から前方の光照射方向に向かって徐々に拡るように凹状に形成されていると共に、途中の変曲点１２ａから光照射方向に向かってラッパ状に、即ち曲率が正から負に転換して凸状に急激に拡大するように形成されている。
【００２１】
本発明実施形態によるストロボ発光装置１は、以上のように構成されており、以下のように動作する。
即ち、Ｘｅ管１１に対して外部から給電されることにより、Ｘｅ管１１が発光する。そして、Ｘｅ管１１から出射してリフレクタ１２により反射された光が、図１にて矢印Ａで示すように、前方に向かって照射される。
【００２２】
その際、Ｘｅ管１１からリフレクタ１２の前端付近に入射しようとする光は、リフレクタ１２の前端付近がラッパ状に拡大していることから、リフレクタ１２の前端付近には入射せず、従ってリフレクタ１２により反射されずに、そのまま前方に向かって照射されることになる。
これにより、従来のようにリフレクタ１２の光照射方向に対して小さい角度で延びる前部付近により反射される光の拡りが抑制されることになり、中心光量が増大すると共に、所望の配光特性が得られることになる。
【００２３】
次に、本発明による閃光放電管用リフレクタの具体例について説明する。  図２は、本発明による閃光放電管用リフレクタの第一の具体例の構成を示している。
図２において、リフレクタ２０は、幅１９．０ｍｍ×厚さ５．４ｍｍ（内法）に形成されており、長手方向に垂直な断面（図２（Ｃ）参照）にて、断面形状が閃光放電管側から凹状に徐々に拡大し、図３に詳細に示すように、途中の変曲点２１から光照射方向（前方）に向かってラッパ状に拡大するように、即ち変曲点で曲率が正から負に転換して凸状に拡大するように形成されている。
尚、リフレクタ２０は、長手方向両端にて、両側方への光を前方に向かって反射させるために側方反射面２２を備えている。
【００２４】
このような構成のリフレクタ２０によれば、閃光放電管と組み合わせてストロボ発光装置を構成したとき、図４に示すように、特に上下方向に関して例えば＋２５度から−２５度程度の範囲にて、十分な中心光量と良好な配光特性が得られることになる。
ここで、図４は、正面水平方向（  中心方向）  の光量を０ＥＶとしたときの上下方向及び左右方向の光量分布を示している。
【００２５】
図５は、本発明による閃光放電管用リフレクタの第二の具体例の構成を示している。
図５において、リフレクタ３０は、図２のリフレクタ２０とほぼ同様の構成であって、幅１７．０ｍｍ×厚さ４．０ｍｍ（内法）に形成されており、長手方向に垂直な断面（図５（Ｃ）参照）にて、断面形状が閃光放電管側から凹状に徐々に拡大し、図６に詳細に示すように、途中の変曲点３１から光照射方向（前方）に向かってラッパ状に拡大するように、即ち変曲点で曲率が正から負に転換して凸状に拡大するように形成されている。
この場合、リフレクタ３０は、図２に示したリフレクタ２０と比較してより小型に且つより薄型に形成されている。
【００２６】
このような構成のリフレクタ３０によれば、閃光放電管と組み合わせてストロボ発光装置を構成したとき、図７に示すように、特に上下方向に関して例えば＋１５度から−１５度程度の範囲にて、即ちリフレクタ２０と比較してより上下方向に関して絞り込まれてることにより、十分な中心光量と良好な配光特性が得られることになる。
【００２７】
図８は、本発明による閃光放電管用リフレクタの第三の具体例の構成を示している。
図８において、リフレクタ４０は、図２のリフレクタ２０とほぼ同様の構成であって、幅１７．０ｍｍ×厚さ３．４２ｍｍ（内法）に形成されており、長手方向に垂直な断面（図８（Ｃ）参照）にて、断面形状が閃光放電管側から凹状に徐々に拡大し、図９に詳細に示すように、途中の変曲点４１から光照射方向（前方）に向かってラッパ状に拡大するように、即ち変曲点で曲率が正から負に転換して凸状に拡大するように形成されている。
この場合、リフレクタ４０は、図５に示したリフレクタ３０と比較してより一層薄型に形成されている。
【００２８】
このような構成のリフレクタ４０によれば、閃光放電管と組み合わせてストロボ発光装置を構成したとき、図１０に示すように、特に上下方向に関して例えば＋１５度から−１５度程度の範囲にて上下方向に関して絞り込まれてると共に、この範囲から外れた方向にて急激に光量が低下することにより、十分な中心光量と良好な配光特性が得られることになる。
【００２９】
上述した実施形態においては、リフレクタ１２，２０，３０，４０は、それぞれ光輝アルミから構成されているが、これに限らず、他の反射率の良好な材料から構成されていてもよい。
【００３０】
【発明の効果】
以上述べたように、本発明によれば、閃光放電管と組み合わせられて、ストロボ発光装置が構成されたとき、閃光放電管から出射した光は、リフレクタの内面により反射されて、全体がほぼ前方に向かって照射されることになる。
【００３１】
その際、リフレクタの前端付近がラッパ状に拡大していることから、リフレクタの前端付近が光照射方向に対して小さな角度で、特に光照射方向とほぼ平行に延びるようなことがない。これによって、リフレクタの前端付近による反射光が照射方向から大きく外れて反射されるようなことがない。
【００３２】
従って、リフレクタの断面形状の曲率を途中の変曲点にて正から負に切換えて、凹状から凸状にすることにより、リフレクタによる反射光の配光特性そして中心光量を容易に制御することができるので、リフレクタ全体が薄型に構成されていても、所望の配光特性が容易に得られることになる。
【００３３】
このようにして、本発明によれば、簡単な構成により、薄型化しても所望の配光特性及び十分な中心光量を確保することができるようにした、極めて優れた閃光放電管用リフレクタが提供され得る。
【図面の簡単な説明】
【図１】本発明による閃光放電管用リフレクタの一実施形態を組み込んだストロボ発光装置の構成を示す概略断面図である。
【図２】本発明による閃光放電管用リフレクタの第一の具体例の構成を示す（Ａ）正面図，（Ｂ）一部破断平面図及び（Ｃ）縦断面図である。
【図３】図２の閃光放電管用リフレクタの縦断面形状を示す概略拡大図である。
【図４】図２の閃光放電管用リフレクタによる配光特性を示すグラフである。
【図５】本発明による閃光放電管用リフレクタの第二の具体例の構成を示す（Ａ）正面図，（Ｂ）一部破断平面図及び（Ｃ）縦断面図である。
【図６】図５の閃光放電管用リフレクタの縦断面形状を示す概略拡大図である。
【図７】図５の閃光放電管用リフレクタによる配光特性を示すグラフである。
【図８】本発明による閃光放電管用リフレクタの第三の具体例の構成を示す（Ａ）正面図，（Ｂ）一部破断平面図及び（Ｃ）縦断面図である。
【図９】図８の閃光放電管用リフレクタの縦断面形状を示す概略拡大図である。
【図１０】図８の閃光放電管用リフレクタによる配光特性を示すグラフである。
【図１１】従来の閃光放電管用リフレクタの一例を組み込んだストロボ発光装置の構成を示す概略断面図である。
【符号の説明】
１０    ストロボ発光装置
１１    Ｘｅ管（閃光放電管）
１２    閃光放電管用リフレクタ
１２ａ  変曲点
２０，３０，４０    閃光放電管用リフレクタ
２１，３１，４１    変曲点
２２    側方反射面
【図１】
2005062284.tif 000003
【図２】
2005062284.tif 000004
【図３】
2005062284.tif 000005
【図４】
2005062284.tif 000006
【図５】
2005062284.tif 000007
【図６】
2005062284.tif 000008
【図７】
2005062284.tif 000009
【図８】
2005062284.tif 000010
【図９】
2005062284.tif 000011
【図１０】
2005062284.tif 000012
【図１１】
2005062284.tif 000013